(57)【特許請求の範囲】
【請求項１】
呼出釦が接続され、この呼出釦が操作されたときには、所定の呼出動作を行うとともに、上記呼出釦あるいは自らにおける復旧指示がなされたときには、呼出動作を解除する住宅情報盤において、
上記呼出釦が操作され呼出を受けたときには、その旨を記憶する記憶手段と、電源供給が一旦遮断されて復旧した際に、上記記憶手段に呼出を受けたことが記憶されているときには、一旦停止した呼出動作を再開するとともに、上記呼出釦における復旧指示を無効とする一方、上記住宅情報盤における復旧指示のみを有効と設定する制御手段とを備える住宅情報盤。
【請求項２】
請求項１において、
上記制御手段は、上記呼出釦あるいは上記住宅情報盤における復旧指示がなされて、呼出動作を停止するときには、上記記憶手段の記憶内容を消去することを特徴とする住宅情報盤。
【発明の詳細な説明】
【０００１】
【発明の属する技術分野】
本発明は、呼出釦が接続され、この呼出釦が指示されたときには、所定の呼出動作を行うとともに、呼出釦あるいは自らにおける復旧指示がなされたときには、呼出動作を解除する住宅情報盤の改良に関する。
【０００２】
【従来の技術】
近時、一般住宅などにおいては、住宅情報盤が広く使用されており、呼出釦を接続し、呼出釦を操作すれば、所定の呼出動作、例えば、ＬＥＤによる呼出表示や、スピーカによる呼出音出力によって、親機の近隣にいる人を呼び出す
ことができ、呼出釦あるいは住宅情報盤自らにおける復旧指示がなされたときには、呼出動作を解除するようになっている。
【０００３】
この一連の動作を、図３を用いて説明すれば、呼出釦（コール押釦）からの呼出待機時には、住宅情報盤から呼出釦に電源供給するライン電圧が、一定の待機時電圧で保持されており、呼出釦が操作されると、呼出釦が備えるサイリスタが動作して、ライン電圧が操作時電圧まで降下し、これを検知した親機が所定の呼出動作をする。そして、呼出中には、サイリスタが動作しているため、ライン電圧が呼出時電圧で保持され、呼出釦において復旧操作がなされると、サイリスタの動作が停止され、ライン電圧が待機時電圧に戻り、これを住宅情報盤が検知して、呼出動作を停止する。
【０００４】
【発明が解決しようとする課題】
ところで、上記した従来の住宅情報盤では、図４に示すように、呼出動作中に停電が発生して、ライン電圧がカットされてしまうと、呼出釦への電源供給が遮断されて、先述した呼出釦のサイリスタの動作が停止し、呼出釦において復旧操作がなされたときと同様となってしまい、停電が復旧したときに、ライン電圧が待機時電圧に戻り、これを住宅情報盤が検出して呼出動作を停止してしまう問題があった。
【０００５】
本発明は、上記問題を解決するためになされたものであり、住宅情報盤による呼出動作中に、停電が発生して、住宅情報盤から呼出釦に電源供給するライン電圧が遮断されて復旧したときに、呼出動作を再開することができる住宅情報盤を提供することを目的としている。
【０００６】
【課題を解決するための手段】
上記目的を達成するために、本発明の請求項１に記載の住宅情報盤では、呼出釦が操作され呼出を受けたときには、その旨を記憶する記憶手段と、電源供給が一旦遮断されて復旧した際に、記憶手段に呼出を受けたことが記憶されているときには、一旦停止した呼出動作を再開するとともに、呼出釦における復旧指示を無効とする一方、住宅情報盤における復旧指示のみを有効と設定する制御手段とを備える。
【０００７】
請求項２に記載の住宅情報盤では、制御手段は、呼出釦あるいは住宅情報盤における復旧指示がなされて、呼出動作を停止したときには、記憶手段の記憶内容を消去する。
【０００８】
【発明の実施の形態】
以下に、本発明の実施の形態について、図面とともに説明する。図１は、本発明の住宅情報盤の要部構成の一例を示す図である。
【０００９】
この住宅情報盤１は、ＣＰＵなどで構成され、本発明の制御手段を構成するマイコン１０と、本発明の記憶手段を構成するＥＥＰＲＯＭ１１と、フリッカ信号を出力するフリッカ信号出力部１２と、トランジスタで構成されるスイッチング素子１３と、ＬＥＤなどで構成される表示部１４と、復旧スイッチ１５とを備える。なお、これらの機能については後述することにする。また、図中、Ｖｃｃは、マイコン１０が動作するために必要な電源を供給したり、ラインＬに電源を供給するための内部電源を示している。
【００１０】
この住宅情報盤１では、接続端子Ｎ，ＮからラインＬを導出させ、呼出釦２を接続することができる。呼出釦２は、呼出スイッチ２０、復旧スイッチ２１、トランジスタで構成されるスイッチング素子２２、サイリスタ２３、抵抗器Ｒ１〜Ｒ３、発光ダイオードＬＥＤなどを備え、ラインＬを介して住宅情報盤１より電源供給を受けて動作するようになっている。なお、これらの機能については後述することにする。
【００１１】
次に、この住宅情報盤１の基本動作について、図２のタイムチャートとともに説明する。すなわち、呼出釦２からの呼出待機時には、ラインＬの電圧が、一定の待機時電圧で保持されており、呼出釦２の呼出スイッチ２０が操作されると、抵抗器Ｒ１を介してサイリスタ２３のゲートに電流が供給されて、サイリスタ２３が動作するため、ライン電圧が操作時電圧まで降下し、これを検知した住宅情報盤１のマイコン１０が、呼出を受けた旨をＥＥＰＲＯＭ１１に記憶するとともに、所定の呼出動作、例えば、表示部１４のＬＥＤを点灯あるいは点滅させたり、図示しないスピーカより呼出音を出力する。このとき、マイコン１０は、フリッカ信号出力部１２よりフリッカ信号を呼出釦２に送出させて、発光ダイオードＬＥＤを点灯あるいは点滅させる。
【００１２】
呼出釦２の呼出スイッチ２０は、電気的にオン保持、すなわち、スイッチ２０がオフとなっても、サイリスタ２３が動作しているため、ライン電圧が呼出時電圧で保持されるようになっており、呼出釦２の復旧スイッチ２１が操作されて復旧指示がなされると、サイリスタ２３の動作が停止され、ライン電圧が待機時電圧に戻り、これをマイコン１０が検知して、呼出動作を停止するとともに、ＥＥＰＲＯＭ１１の記憶内容を消去して、呼出釦２からの呼出に対して待機する状態へと戻る。また、呼出中に、住宅情報盤１の復旧スイッチ１５を操作すれば、マイコン１０がこれを検知して、呼出動作を停止して元の待機状態へと戻り、スイッチング素子１３を動作して、ライン電圧を降下させることにより、呼出釦２に復旧信号を送出し、これを受けた呼出釦２は、サイリスタ２３の動作を停止して、ライン電圧を元の待機時電圧に戻し、発光ダイオードＬＥＤの点灯あるいは点滅を停止する。
【００１３】
このような基本動作をなす住宅情報盤１において、ＥＥＰＲＯＭ１１に、呼出釦２からの呼出が記憶されていないときに停電が発生すると、ライン電圧が遮断されて、呼出釦２からの呼出を監視しない状態となるが、呼出釦２からの呼出を受け、この旨がＥＥＰＲＯＭ１１に記憶されているときには、停電が復旧したときに、ライン電圧が待機時電圧に戻ってしまっても、マイコン１０はＥＥＰＲＯＭ１１の記憶内容に基づいて、呼出動作を再開する。このとき、マイコン１０は、住宅情報盤１の復旧スイッチ１５による復旧操作のみを有効とし、停電による呼出釦２のサイリスタ２３の動作停止によって生じるライン電圧の復帰によってなされる復旧指示は無効とする。そして、復旧スイッチ１５が操作されると、マイコン１０は呼出動作を停止して元の待機状態へと戻り、スイッチング素子１３を動作して、ライン電圧を降下させることにより、呼出釦２に復旧信号を送出するとともに、ＥＥＰＲＯＭ１１の記憶内容を消去する。このとき、住宅情報盤１より復旧信号を受けた呼出釦２は、発光ダイオードＬＥＤの点灯あるいは点滅を停止する。
【００１４】
【発明の効果】
以上の説明からも理解できるように、本発明の請求項１に記載の住宅情報盤では、制御手段は、停電から復旧した際に、記憶手段に呼出を受けたことが記憶されているときには、一旦停止した呼出動作を再開するとともに、住宅情報盤における復旧指示のみを有効とするので、住宅情報盤による呼出動作中に、停電が発生して、住宅情報盤から呼出釦に電源供給するライン電圧が遮断されて復旧したときに、呼出釦から復旧指示を受けたのと同じ状態となっても、呼出動作を問題なく再開することができる。
【００１５】
請求項２に記載の住宅情報盤では、制御手段は、呼出釦あるいは住宅情報盤における復旧指示がなされたときには、呼出動作を停止するとともに、記憶手段の記憶内容を消去するので、呼出釦から呼出を受ける毎に、記憶手段にその旨を記憶し、その記憶内容に基づいて、請求項１に記載の作用を実施することができる。
【図面の簡単な説明】
【図１】本発明の住宅情報盤の要部構成の一例を示す図である。
【図２】本発明の住宅情報盤の基本動作について説明するためのタイムチャートである。
【図３】従来の住宅情報盤の動作について説明するためのタイムチャートである。
【図４】従来の住宅情報盤の問題点について説明するためのタイムチャートである。
【符号の説明】
１・・・住宅情報盤
２・・・呼出釦
１０・・・マイコン
１１・・・ＥＥＰＲＯＭ
【図１】
0003654132.tif 000002
【図２】
0003654132.tif 000003
【図３】
0003654132.tif 000004
【図４】
0003654132.tif 000005